(57)【要約】  【課題】  挿着できる玩具は、その取り付け構造を具備していることが限定され、使用者が好みの玩具を取り付けることは不可能であった。また、スライド嵌合式の着脱構造では容易に着脱機構部から二足移動玩具が取れてしまうという課題があり、ネジ込み式による着脱機構では、着脱操作に手間がかかり、強いては、着脱に時間がかかってしまうという課題が存在した。  【解決手段】  軸筒の後部に被挿着部材を着脱自在に挿着する着脱穴が形成された筆記具であって、前記着脱穴を開口部から被開口部に向かって徐々に縮径させた筆記具。【選択図】  図１７
2015030095.tif 000002
【特許請求の範囲】
【請求項１】
軸筒の後部に被挿着部材を着脱自在に挿着する着脱穴が形成された筆記具であって、前記着脱穴を開口部から被開口部に向かって徐々に縮径させた筆記具。
【請求項２】
前記着脱穴を開口部から被開口部に向かって大径部、小径部の順に形成すると共に、その小径部に突起を放射状に複数形成した請求項１記載の筆記具。
【請求項３】
前記着脱穴の被開口部側に底部を形成すると共に、その側部に前記軸筒に繋がる貫通孔を形成した請求項１、或いは、請求項２に記載の筆記具。
【発明の詳細な説明】
【技術分野】
【０００１】
本発明は、軸筒に設けた穴に対して、玩具や消しゴム、ペン、修正具などを着脱自在に取り付けできる筆記具に関するものである。
【背景技術】
【０００２】
１例として、筆記部１を先端から出没させる構成の筆記具本体２と、載置面上を二足で歩行移動するゼンマイ駆動又は電動駆動の手振り式の二足移動玩具２０と、筆記具本体２の頂部、二足移動玩具２０の底部間にわたって設けたスライド嵌合式又はネジ込み式の着脱機構部とを有し、着脱機構部により筆記具本体２に二足移動玩具２０を装着した状態と、筆記具本体２から二足移動玩具２０を離脱させた状態との２種の形態をとり得えるようにしたものが知られている。
【先行技術文献】
【特許文献】
【０００３】
【特許文献１】特開２００６−１８７３５５号公報。
【発明の開示】
【発明が解決しようとする課題】
【０００４】
上記従来技術は、載置面上を二足で歩行移動するゼンマイ駆動又は電動駆動の手振り式の二足移動玩具２０と、筆記具本体２の頂部、二足移動玩具２０の底部間にわたって設けたスライド嵌合式又はネジ込み式の着脱機構部とを有している。そして、その着脱機構部により筆記具本体２に二足移動玩具２０を装着した状態と、前記筆記具本体２から二足移動玩具２０を離脱させた状態との、２種の形態をとり得えるようにしたものである。
しかしながら、上記従来技術の筆記具においては、挿着できる玩具は、その取り付け構造を具備していることが限定され、使用者が好みの玩具を取り付けることは不可能であった。また、スライド嵌合式の着脱構造では容易に着脱機構部から二足移動玩具が取れてしまうという課題があり、ネジ込み式による着脱機構では、着脱操作に手間がかかり、強いては、着脱に時間がかかってしまうという課題が存在した。
【課題を解決するための手段】
【０００５】
そこで、本発明は、使用者が好みの消しゴムや液式修正具、修正テープ、その他、小さなサインペンや蛍光マーカーなどの筆記具を簡単に取り付け、取り外しすることができ、さらには、文房具だけでなく、玩具やアクセサリーなどを取り付けることで、使用者オリジナルの筆記具を作製することができる筆記具を提供する。
即ち、その要旨を、軸筒の後部に被挿着部材を着脱自在に挿着する着脱穴が形成された筆記具であって、前記着脱穴を開口部から被開口部に向かって徐々に縮径させた筆記具  とする。
【発明の効果】
【０００６】
本発明は、軸筒の後部に被挿着部材を着脱自在に挿着する着脱穴が形成された筆記具であって、前記着脱穴を開口部から被開口部に向かって徐々に縮径させているので、使用者が、好みの部材を筆記具に取り付けることができ、使用者オリジナルの筆記具を製作することができる。
【図面の簡単な説明】
【０００７】
【図１】本発明の１例を示す外観図。
【図２】図１Ａ−Ａでの縦断面図。
【図３】（ａ）イヤフォンジャックアクセサリーの例を示す正面図。（ｂ）イヤフォンジャックアクセサリーの他の例を示す正面図。（ｃ）イヤフォンジャックアクセサリーの他の例を示す正面図。（ｄ）イヤフォンジャックアクセサリーの他の例を示す正面図。
【図４】ペン先突出状態の正面図。
【図５】図４Ａ−Ａでの縦断面図。
【図６】摺動ケースの正面図。
【図７】摺動ケースの上面図。
【図８】図６Ａ−Ａでの断面斜視図。
【図９】後軸の正面図。
【図１０】図９Ａ−Ａでの後軸の縦断面図。
【図１１】スライダーの側面図。
【図１２】スライダーの縦断面図。
【図１３】クリップスライダーの側面図。
【図１４】クリップスライダーの縦断面図。
【図１５】クリップスライダーのリフィール挿入部拡大図。
【図１６】イヤフォンジャックアクセサリーを取り付けた本体の図１。
【図１７】図１６Ａ−Ａでの縦断面図。
【図１８】図１７の腰部拡大図。
【図１９】イヤフォンジャックアクセサリーを取り付けた本体の図２。
【図２０】図１９Ａ−Ａでの縦断面図。
【図２１】図２０の腰部拡大図。
【図２２】消しゴムを取り付けた本体の図。
【図２３】図２２Ａ−Ａでの縦断面図。
【図２４】図２３の腰部拡大図。
【図２５】図１のＢ−Ｂ横断面図。
【図２６】図４のリフィール規制リブの拡大図。
【図２７】消しゴムセット断面図。
【図２８】実施例２の摺動ケース。
【図２９】図２８Ａ−Ａでの縦断面図
【発明を実施するための最良の形態】
【０００８】
作用について説明する。図１に示す例は、リフィール１を複数本内蔵する多芯筆記具である。その多芯筆記具の軸本体後部には中央部に深さ方向に進むにつれ、多段階的に径を縮小していく着脱穴２が設けられており、その着脱穴２の内壁面２ａには、複数の係合用突起２ｂが設けてある。前記着脱穴２の軸筒の後端部に位置する開口部３は、着脱穴２の最大径部となっている。しかし、その着脱穴２の開口部３の最大径部は、その着脱穴２に着脱自在に取り付けられる取り付け部材４の最大径部よりも小さく形成されている。即ち、取り付け部材４は、着脱穴２に対して圧入状態で着脱自在に固着される。
また、着脱穴２を多段階的に径を縮小することにより、様々な径の取り付け部材４の圧入関係を保つことが可能となっている。さらに、着脱穴２内の内壁面２ａには複数の係合用突起２ｂが設けてあり、仮に、前記の圧入関係を保たなくても、係合用突起２ｂに取り付け部材４の係合用突出部４ａが係合することで、着脱が可能に取り付けられる。
【０００９】
本例では着脱穴２を摺動ケース５の後端部のノック部５ｃにノック後端からペン先方向へ向けて設けており、穴の深さ方向、つまり、被開口部６側において、略中央部までが大径部２ｃとなっており、次いで、ほぼ中央部からは小径部２ｄとなっている。それら大径部２ｃと小径部２ｄの間には、大径部２ｃと小径部２ｄを連結する、開口部側に向けて拡径するテーパー部２ｅが設けてある。そして、前記小径部２ｄの内壁面２ａには、周状に、かつ、等間隔な位置に係合用突起２ｂが設けてある。その係合用突起２ｂは軸方向の断面形状が台形となっている。詳述すると、その係合用突起２ｂのテーパー部２ｅは着脱穴２後端開口部３側が急勾配となっており、被開口部側６が緩くなっている。また、着脱穴２の被開口部側底面６ａと、着脱穴被開口部側底面６ａに近接した周壁には、摺動ケース５の内部に貫通して繋がる係合穴７が設けてある。
この様な構成からなる着脱穴２には、取り付け部材４が装飾部品で無く、機能をもった部品、例えば消しゴムや蛍光ペン、修正具などが取り付けられる。これらの取り付け部材４を取り付ける際には、強固な固定力が必要となる場合もある。その際には、前記係合穴７に係合する係合凸部８を前記取り付け部材４の棒状取り付け部４ｂに設け、固定力を強化させる。尚、消しゴム９を取り付ける場合には、その消しゴム単体でも取り付けは可能であるが、消しゴム９を保護する観点から、消しゴム９が差し込まれる台座１０、並びに、消しゴム９を覆うキャップ１１を使用するのが望ましい。その際は、キャップ１１と台座１０の嵌合力は、前記着脱穴２と取り付け部材４の嵌合力よりも小さくすることが望ましい。スムーズなキャップ１１の取り外しが可能になる。
また、市販の装飾部品（本発明の取り付け部材に相当）、例えばイヤフォンジャックアクセサリー１２を装飾部品として取り付ける際は、前記着脱穴２の小径部２ｄや大径部２ｃに対し、イヤフォンジャックアクセサリー１２の大径部１２ａが圧入関係となる固定方法や、内壁周状に設けた係合用突起２ｂと棒状取り付け部４ｂの溝４ｃとが凹凸に嵌合し固定する方法がある。しかし、これら両者の固定方法は、いずれも使用者が簡単に着脱可能となる固定力で固定されており、使用者は気分により、好みの装飾部品を着脱可能となっている。尚、棒状取り付け部４ｂは、各々の形状の違いにより、大径部２ｃへの圧入、小径部２ｄへの圧入、小径部２ｄの内壁面２ａに設けた係合用突起２ｂとの嵌合などにより、着脱自在に取り付けられる。即ち、使用者は携帯電話や携帯音楽プレーヤーなどのイヤフォンジャックアクセサリー１２や、専用の挿着用筆記具などを筆記具に取り付けることで、自由に筆記具のカスタマイズが可能になるのである。
本例では、筆記具後端部となる摺動ケース５に着脱穴２が設けられているが、内部構造のスペースの都合上、摺動ケース５に設けているのであって、スペース的に余裕があるのであるならば、他の部品に着脱穴２が設けられていても良い。また、本例では多芯筆記具に着脱穴２を設けたが、一般的なボールペンやシャープペン等の筆記具に着脱穴２を設けても同じ効果を発する。
【００１０】
前記着脱穴２には、凹凸嵌合や圧入により、消しゴムや蛍光ペン、修正具などの筆記具が着脱自在に取り付けられる。つまり、消しゴムや蛍光ペン、修正具などを筆記具と一緒に携帯することにより、使用時にペンケースから取り出したり、ペンを持ち変えるという煩わしさが無く、スムーズに使用することが可能となる。さらには、近年、携帯電話などのイヤフォンジャックに対応させた、イヤフォンジャックアクセサリー１２が市場に導入され、様々なキャラクターやデザインのイヤフォンジャックアクセサリー１２が普及している。前記イヤフォンジャックアクセサリー１２の棒状取り付け部４ｂは、図３（ａ）のように幅の狭い環状の溝部１２ｂを複数設けたものや、図３（ｂ）のように環状の大径部１２ａを複数設けたり、図３（ｃ）のように幅の広い環状の溝部１２ｃを設けたり、或いは、図３（ｄ）のように表面が平坦な円柱状にしたものなど、様々な形状がある。また、材質も金属や硬質の樹脂、軟質の樹脂など様々である。前述した着脱穴には、これらのイヤフォンジャックアクセサリー１２の棒状取り付け部４ｂが挿入され、圧入、もしくは、凹凸嵌合などにより着脱自在に取り付けられる。
本例における着脱穴２の形状は、前記の通り、段階的に形成された小径部２ｄと大径部２ｃ、係合用突起２ｂなどにより構成であるが、開口部３から被開口部６の底部６ａまで、奥に行くほどなだらかに径が小さくなるテーパー状の穴１３としても良く、また、底部６ａを有さない貫通穴であっても良い。要は、圧入関係や、凹凸嵌合が可能となる形状であれば良いのである。
【００１１】
次いで、１例を図１〜図１５に示し説明する。軸本体１４は、前軸１５と後軸１６、摺動ケース５により構成されている。前記前軸１５の内径部には、先端側へ向かって徐々に径が小さくなる円錐部１５ａが形成されている。そして、その前軸１５の先端には、ボールペンリフィール１の筆記部やシャープユニット１７の先金部１７ａが出没する突出孔１５ｂが形成されている。
さらに、前記前軸１５は透明な材質から構成されており、内部のリフィールを、前軸１５を通して識別可能としている。リフィール１の樹脂パイプ１ａは着色、もしくは転写印刷などにより、内部のインキ１ｂと近似した色に着色されており、使用者の外観からの識別を可能としている。
後軸１６は、着色半透明な材質から構成されている。リフィール１をスライダー１８に対して着脱する際、即ち、リフィール１を交換する際、その着脱部１ｃの視認性が良好なものとなり、容易に着脱作業を行うことができるようになる。また、後軸１６は、円筒状であるが故に、その曲面のレンズ作用により、前記の着脱部１ｃが拡大・大径化され、さらに容易に着脱作業を行うことができるようになる。
前記前軸１５は内部リフィール１の視認性やデザイン性を考慮し、一部品で構成されているが、ゴム状弾性体からなるグリップを挿着したり、二色成形、或いは、多色成形といった手段などにより前軸１５にゴム状弾性体からなるグリップを被覆しても良い。それにより、グリップ感が増し、書きやすさ、疲れにくさが増すのである。
【００１２】
前記前軸１５と後軸１６は、螺合により取り外し可能に取り付けられており、前記後軸１６の後端部には摺動ケース５が取り付けられている。本例では、その摺動ケース５の外周の表面上には、等間隔に後軸１６との係合用の係合突起５ａが設けられている。また、その係合突起５ａは、後軸１６の外周の表面に設けられた窓孔１６ａの後端部に係合されることにより、シャープユニット１７を組み合わせた多芯筆記具において、シャープ芯２９の繰り出しのスライド距離を窓孔１６ａで有効活用することによって軸本体１４の長さを抑えている。
スライダー１８の後端押圧部１８ａは軸芯方向に切欠き１８ｂが設けてあり、前述の窓穴１６ａの後端部に係合された摺動ケース５の係合突起５ａを覆い、外観から見えないようにしているのである。
この係合状態において、摺動ケース５の前半部５ｂは後軸１６の後端内部に配置され、一方、摺動ケース５の後半部は後軸１６の後端開口部１６ｂから突出する。その突出した摺動ケース５の後半部をノック部５ｃとし、ノック作動により摺動ケース５全体が、後軸１６に対して前後に摺動する。
【００１３】
その摺動ケース５の内部は全長に渡り、径方向を分割するように梁状の区画壁１９によって区画されている。また、摺動ケース５は有底の筒状を成しているが、中間部からは筒部５ｄがなくなり、径方向に開放状態となっている。具体的には、断面形状が扇形の切り欠き部５ｅが形成されており、その切り欠き部５ｅが開放状態となっている。つまり、その切り欠き部５ｅを摺動面とし、スライダー１８が摺動ケース５内を摺動するのである。前記スライダー１８の押圧部１８ａは後軸１６の窓孔１６ａより外方に突出しており、スライダー１８の押圧部１８ａは後軸１６の窓孔１６ａを摺動する。
【００１４】
ペン先２０の没入状態では、スライダー１８は弾撥部材２１の弾撥力により、後方へ押しやられており、スライダー１８の円弧状当接部は摺動ケース５のスライダー当接部５ｆに当接している。スライダー１８と摺動ケース５当接部は平面同士の接触でも良いが、本例では円弧同士で接触させている。それにより、弾撥部材２１の弾撥力によるスライダー１８の摺動ケース５への衝撃力を起因とする応力集中を緩和し割れの発生を低減しているのである。この状態において、使用者がスライダー１８を前進させると、スライダー１８は軸心方向へ落ち込み、スライダー１８の係止突起１８ｃが摺動ケース５内の梁状の区画壁１９の中心に設けられた係止凹部２２に係止される。この瞬間に、ペン先２０が前軸１５の先端突出孔１５ｂから突出し、筆記可能となる。このペン先２０の突出時、後軸１６内の規制部２８に設けた貫通孔２８ａ付近の後軸内周面１６ｂから貫通孔２８ａの中心に向けて設けたリフィール規制リブ２８ｂと、リフィール１が接触する。この接触動作によって、リフィール１の先端のペン先２０は強制的に前軸１５先端の突出孔１５ｂに向かう。これにより、前軸１５内でリフィール１が屈曲することなく、突出孔１５ｂからペン先２０が突出されるのである。例えば，リフィール１がシャープユニット１７の際、シャープユニット１７自体の屈曲による、内蔵されたシャープ芯２９の繰り出し不良などが防止され、スムーズな芯出しが可能となる。
【００１５】
さらに、前記後軸１６の内面には、一対の位置決めリブ２３によって挿着溝２４が形成されている。その挿着溝２４には、前記摺動ケース５の梁状の区画壁１９が摺動自在に嵌まり込んでおり、径方向、即ち、相対的な回転が防止されている。具体的には、１つの区画壁１９に対し、後軸１６の内周面に前記区画壁１９の幅と略同じ間隔をあけて位置決めリブ２３が２つ設けてあり、その隣り合う位置決めリブ２３間（挿着溝２４）を区画壁１９が前後に摺動するのである。つまり、後軸１６内の位置決めリブ２３の数は区画壁１９の数の２倍となり、区画壁１９の数はリフィール１の数に起因するため、リフィール１の数により位置決めリブ２３の数も決まる。つまり、リフィール１が２本であれば位置決めリブ２３の数は４つ、３本であれば６つになるのである。
【００１６】
軸本体１４は後軸１６、前軸１５、摺動ケース５で構成されており、先に説明したとおり、摺動ケース５と後軸１６は、係合突起５ａと窓孔１６ａとの係合により、脱落・分解が防止されている。また、前軸１５と後軸１６はネジ螺合により取り外し可能に接合されている。前記後軸１６内には前軸１５のネジ部端面１５ｃを突き当てて止めるため、ネジ止め段部１６ｃが周状に形成されている。本例では前軸１５にはグリップを被覆しておらず、後軸１６との螺号により前軸外観後端面１５ｄと後軸先端面１６ｄとが接触して、螺合が止まるが、前軸外観後端面１５ｄに接触部が存在しない、グリップを被覆した例では前記ネジ止め段部１６ｃと前軸ネジ部の端部１５ｃが軸内部で接触し、螺号が止まるのである。ネジ止め段部１６ｃは軸内のスペース、肉厚等を考慮し、複数のリブで構成しても良いが、金型の加工、透明樹脂使用時の見栄えの観点から、周状に設けるのが望ましい。
【００１７】
前記後軸１６には、その長手方向に３個の窓孔１６ａが形成されている。本例においては、３個の窓孔１６ａが形成されているが、リフィール１であるボールペンリフィール２５とシャープユニット１７の合計数が３本であるためであり、このリフィール１の本数によって窓孔１６ａの形成する数も変わるものである。前記後軸１６内には後軸１６の後端を摺動可能に取り付けられた摺動ケース５が設けられており、前記摺動ケース５内はリフィール１の数に径方向に区画されており、その区画は軸心を中心とし、放射状に広がる梁状の区画壁１９により区画分けされている。この区画２６内をリフィール１の後端に取り付けられたスライダー１８が前後にスライドし、ボールペンリフィール２５のペン先２０やシャープユニット１７の先金部１７ａの没入動作が行われるのである。前記区画２６も本例では３つであるが、リフィール１の本数により、変わるものである。
【００１８】
前記後軸１６の窓孔１６ａには、不透明な材質からなるスライダー１８が摺動自在に配置されている。このスライダー１８の長手方向の両側には、抜け防止突起１８ｄが形成されており、後軸１６の窓孔１６ａからのスライダー１８の脱落を防止している。
このスライダー１８の背面には、１つの係止突起１８ｃと、間隔をおいて２つの解除突起１８ｅ、１８ｆが形成されている。前記係止突起１８ｃは摺動ケース５を区画している梁状の区画壁１９の中央部に設けた係止凹部２２に係止され、ボールペンリフィール２５のペン先２０やシャープユニット１７の先金部１７ａの突出状態を維持する。前記ボールペンリフィール２５のペン先２０やシャープユニット１７の先金部１７ａの突出状態において後部に位置している他のスライダー１８を前進させると、前進したスライダー１８の解除突起１８ｅが、係止しているスライダー１８の被解除突起１８ｆに接触し、係止していたスライダー１８が径方向外向きに移動することで係止が解除され、その瞬間に弾撥部材２１の弾撥力によりスライダー１８が後方へ移動し、ボールペンリフィール２５のペン先２０やシャープユニット１７の先金部１７ａが没状態になるのである。
【００１９】
また、スライダー１８の前端には長手方向に孔２７が形成されている。その孔の内周面２７ａにはリフィール嵌合突起２７ｂが形成されており、リフィール１の後端に設けた着脱部１ｃが着脱可能に固定される。リフィール１の後端には着脱部１ｃが空気の流通路を確保した状態で固着しており、その固着強度がスライダー１８と着脱部１ｃの嵌合強度より強くなっていることにより、使用者は好みのリフィール１に簡単に着脱し、交換することができるのである。
ここで、前記スライダー１８は、不透明な材質で形成されているが、透明、或いは、着色された半透明な材質で形成しても良い。透明にすることにより、リフィール１の後端に取り付けた着脱部１ｃを、スライダー１８を通して視認することができ、使用者のリフィール識別が可能となる。さらには、スライダー１８の奥行き感が発生し、より一層、美観が向上する。
【００２０】
尚、前記スライダー１８の前端部には、後述する弾撥部材２１の後端部が当接する鍔部１８ｇが形成されている。
参照符号２１は、リフィール１並びにリフィール１に接続するスライダー１８を後方に付勢するコイルスプリングなどの弾撥部材２１である。尚、本例におけるリフィール１は、２本が前述のようにボールペンリフィール２５となっており、もう１本がシャープユニット１７となっている。そのボールペンリフィール２５のインキ収容筒２５ａ及び、シャープユニット１７の着脱部１ｃがスライダー１８の孔に接続されている。具体的には、黒、赤のインキが収納されたボールペンリフィール２５とシャープユニット１７が接続されている。
前記後軸１６の中間部には、規制部２８が形成されており、その規制部２８には、リフィール１が遊挿する３つの貫通孔２８ａが形成されており、前記規制部２８に弾撥部材２１の一端を係止させることにより、リフィール１を後方に付勢している。
【００２１】
実施例２を図２８〜図２９に示し説明する。摺動ケース５の後端に設けた着脱穴２には、開口部３から被開口部６方向に向かい縮径するテーパー状で形成されており、その内壁面２ａには、周状に等間隔に係合用突起２ｂが複数形成されている。それら、隣り合った係合用突起２ｂの間には、摺動ケース５の内部と繋がる横穴が設けてあり、係合穴７として作用する。一方、消しゴムや蛍光ペンなどの取り付け部材４には、係合凸部８が形成されており、その係合凸部８が前記係合穴７に係合し、固定される。その係合穴７が設けられることにより、摺動ケース５が変形しやすくなっている。即ち、摺動ケース５が弾性変形することによって、より径の太い取り付け部材４も取り付け可能になるのである。
【符号の説明】
【００２２】
１      リフィール
２      着脱穴
２ａ    内壁面
２ｂ    係合用突起
２ｃ    大径部
２ｄ    小径部
３      開口部
４      取り付け部材
４ａ    係合用突出部
４ｂ    棒状取り付け部
４ｃ    溝
５      摺動ケース
５ａ    係合突起
５ｂ    前半部
５ｃ    ノック部
６      被開口部
６ａ    底部
７      係合穴
８      係合凸部
９      消しゴム
１０      台座
１１      キャップ
１２      イヤフォンジャックアクセサリー
１２ａ    大径部
１３      テーパー状の穴
１４      軸本体
１５      前軸
１５ａ    円錐部
１５ｂ    突出穴
１５ｃ    ネジ部端面
１５d     前軸外観後端面
１６      後軸
１６ａ    窓孔
１６ｂ    後軸内周面
１６ｃ    ネジ止め段部
１６ｄ    後軸先端面
１７      シャープユニット
１７ａ    先金部
１８      スライダー
１８ａ    押圧部
１８ｂ    切欠き
１８ｃ    係止突起
１８ｄ    抜け防止突起
１８ｅ    解除突起
１８ｆ    被解除突起
１８ｇ    鍔部
１９      区画壁
２０      ペン先
２１      弾撥部材
２２      係止凹部
２３      位置決めリブ
２４      挿着溝
２５      ボールペンリフィール
２５ａ    インキ収容筒
２６      区画
２７      孔
２７ａ    内周面
２７ｂ    リフィール嵌合突起
２８      規制部
２８ａ    貫通孔
２８ｂ    リフィール規制リブ
２９      シャープ芯
【図１】
2015030095.tif 000003
【図２】
2015030095.tif 000004
【図３】
2015030095.tif 000005
【図４】
2015030095.tif 000006
【図５】
2015030095.tif 000007
【図６】
2015030095.tif 000008
【図７】
2015030095.tif 000009
【図８】
2015030095.tif 000010
【図９】
2015030095.tif 000011
【図１０】
2015030095.tif 000012
【図１１】
2015030095.tif 000013
【図１２】
2015030095.tif 000014
【図１３】
2015030095.tif 000015
【図１４】
2015030095.tif 000016
【図１５】
2015030095.tif 000017
【図１６】
2015030095.tif 000018
【図１７】
2015030095.tif 000019
【図１８】
2015030095.tif 000020
【図１９】
2015030095.tif 000021
【図２０】
2015030095.tif 000022
【図２１】
2015030095.tif 000023
【図２２】
2015030095.tif 000024
【図２３】
2015030095.tif 000025
【図２４】
2015030095.tif 000026
【図２５】
2015030095.tif 000027
【図２６】
2015030095.tif 000028
【図２７】
2015030095.tif 000029
【図２８】
2015030095.tif 000030
【図２９】
2015030095.tif 000031